【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
基板と、
前記基板に搭載され、負荷を駆動するための負荷駆動回路と、
前記基板に搭載され、前記外部から入力される信号に基づいて前記前記負荷駆動回路を制御するための制御信号を生成する第１の制御手段と、
前記基板に搭載され、前記外部から入力された信号を前記第１の制御手段に出力するとともに、前記第１の制御手段にて生成された制御信号に基づいて前記負荷駆動回路を制御する第２の制御手段と、を備え、
前記基板、前記負荷駆動回路および前記第１、第２の制御手段は、モールド樹脂を用いて外形が四角形状となるようにパッケージ化されており、
前記四角形状の外形の一辺には、前記外部からの信号を入力するための端子を含む入力端子群が設けられ、
前記四角形状の外形の前記入力端子群が設けられた辺と対向する辺には、前記負荷を駆動するための信号を出力するための端子を含む出力端子群が設けられ、
前記四角形状の外形の前記入力端子群が設けられた辺と直交する辺には、少なくとも前記第１の制御手段の検査のための信号を入出力するための端子を含む検査端子群が設けられているものであって、
前記検査用端子群は、前記四角形状の外形よりも内側に窪んだ部位に設けられていることを特徴とする電子装置。
【請求項２】
基板と、
前記基板に搭載され、負荷を駆動するための負荷駆動回路と、
前記基板に搭載され、前記外部から入力される信号に基づいて前記前記負荷駆動回路を制御するための制御信号を生成する第１の制御手段と、
前記基板に搭載され、前記外部から入力された信号を前記第１の制御手段に出力するとともに、前記第１の制御手段にて生成された制御信号に基づいて前記負荷駆動回路を制御する第２の制御手段と、を備え、
前記基板、前記負荷駆動回路および前記第１、第２の制御手段は、モールド樹脂を用いて外形が四角形状となるようにパッケージ化されており、
前記四角形状の外形の一辺には、前記外部からの信号を入力するための端子を含む入力端子群が設けられ、
前記四角形状の外形の前記入力端子群が設けられた辺と対向する辺には、前記負荷を駆動するための信号を出力するための端子を含む出力端子群が設けられ、
前記四角形状の外形の前記入力端子群が設けられた辺と直交する辺には、少なくとも前記第１の制御手段の検査のための信号を入出力するための端子を含む検査端子群が設けられているものであって、
前記出力端子群は、
バッテリの正極端子と接続される電源端子と、
前記負荷を駆動するための２つの負荷接続端子と、
前記バッテリの負極端子と接続される２つのグランド端子と、を有し、
前記２つの負荷接続端子は前記電源端子の両側に配置され、前記２つのグランド端子は前記２つの負荷接続端子の各外側に配置されていることを特徴とする電子装置。
【請求項３】
基板と、
前記基板に搭載され、負荷を駆動するための負荷駆動回路と、
前記基板に搭載され、前記外部から入力される信号に基づいて前記前記負荷駆動回路を制御するための制御信号を生成する第１の制御手段と、
前記基板に搭載され、前記外部から入力された信号を前記第１の制御手段に出力するとともに、前記第１の制御手段にて生成された制御信号に基づいて前記負荷駆動回路を制御する第２の制御手段と、を備え、
前記基板、前記負荷駆動回路および前記第１、第２の制御手段は、モールド樹脂を用いて外形が四角形状となるようにパッケージ化されており、
前記四角形状の外形の一辺には、前記外部からの信号を入力するための端子を含む入力端子群が設けられ、
前記四角形状の外形の前記入力端子群が設けられた辺と対向する辺には、前記負荷を駆動するための信号を出力するための端子を含む出力端子群が設けられ、
前記四角形状の外形の前記入力端子群が設けられた辺と直交する辺には、少なくとも前記第１の制御手段の検査のための信号を入出力するための端子を含む検査端子群が設けられているものであって、
前記第１の制御手段はマイコンで構成され、前記第２の制御手段は制御ＩＣで構成されており、前記負荷駆動回路、前記マイコンおよび前記制御ＩＣは、前記入力端子群と前記出力端子群との間に、前記マイコン、前記制御ＩＣ、前記負荷駆動回路の順に配置されていることを特徴とする電子装置。
【請求項４】
前記入力端子群と前記マイコンとの間にも制御ＩＣが配置されていることを特徴とする請求項３に記載の電子装置。
【請求項５】
前記負荷駆動回路、前記マイコンおよび前記制御ＩＣは、それぞれベアチップの状態で前記基板に搭載されていることを特徴とする請求項３または４に記載の電子装置。
【請求項６】
前記外部から入力される信号の電圧レベルは、前記マイコンの入力電圧レベルよりも高くなっており、
前記制御ＩＣは、前記外部から入力される信号の電圧レベルを前記マイコンの入力電圧レベルに変換する電圧レベル変換手段を備えていることを特徴とする請求項３ないし５のいずれか１つに記載の電子装置。
【請求項７】
前記マイコンは、アクティブモードと、このアクティブモードよりも低消費電流で動作する低消費電流モードを有するものであり、
前記制御ＩＣは、定電圧を出力する第１の電源回路と、前記第１の電源回路よりも少ない消費電流で定電圧を出力する第２の電源回路と、を有し、前記マイコンが前記アクティブモードで作動する場合、前記第１の電源回路から前記マイコンに定電圧を供給し、前記マイコンが前記低消費電流モードで作動する場合、前記第２の電源回路から前記マイコンに定電圧を供給するように定電圧供給の切り替えを行うようになっていることを特徴とする請求項３ないし６のいずれか１つに記載の電子装置。
【請求項８】
前記制御ＩＣから前記マイコンへ定電圧を供給する電源ラインには、グランド電位との間に、前記負荷駆動回路から前記電源ラインに伝搬するノイズを抑制するためのコンデンサが設けられていることを特徴とする請求項７に記載の電子装置。
【請求項９】
前記マイコンが前記低消費電流モードで作動する場合、前記第１の電源回路は定電圧の出力をオフにすることを特徴とする請求項７または８に記載の電子装置。
【請求項１０】
前記第１の電源回路の定電圧は前記第２の電源回路の定電圧よりも大きくなっており、前記アクティブモードで作動する場合、前記第２の電源回路は自動的にオフ状態となることを特徴とする請求項７ないし９のいずれか１つに記載の電子装置。
【手続補正２】
【補正対象書類名】明細書
【補正対象項目名】００１２
【補正方法】変更
【補正の内容】
【００１２】
また、請求項１に記載の発明のように、検査用端子群は、四角形状の外形よりも内側に窪んだ部位に設けられているので、当該電子装置を例えば負荷等の筐体に組み付けたとしても、検査端子群がその周辺部と接触してショートすることがない。
また、請求項２に記載の発明における出力端子群では、２つの負荷接続端子は電源端子の両側に配置され、２つのグランド端子は２つの負荷接続端子の各外側に配置されている。負荷から２つの負荷接続端子に大電流スイッチングノイズが伝搬されることが考えられるが、このように２つの負荷接続端子は、それぞれ電源端子とグランド（ＧＮＤ）端子の間に挟まれる形で配置されているため、各負荷接続端子から外部への大電流スイッチングノイズの放射を抑制することができる。
【手続補正３】
【補正対象書類名】明細書
【補正対象項目名】００１３
【補正方法】変更
【補正の内容】
【００１３】
また、請求項３に記載の発明では、第１の制御手段はマイコンで構成され、第２の制御手段は制御ＩＣで構成されており、負荷駆動回路、マイコンおよび制御ＩＣは、入力端子群と出力端子群との間に、マイコン、制御ＩＣ、負荷駆動回路の順に配置されている。これにより、マイコンと負荷駆動回路が離れて配置されるため、負荷からマイコンの電源に伝搬される大電流スイッチングノイズの影響を低減することができる。